(57)【要約】【課題】光ディスクの記録面において、高精度のイメージ情報を記録可能にする。【解決手段】光ディスク記録装置は、イメージ情報に対応するビットマップデータを取得するデータ取得部１０６と、情報記録するトラックにウォブルを有する光ディスク２０１において、ウォブルに設定されたアドレス情報をウォブル同期によって取得する機能を持つウォブル処理部１０４と、アドレス情報を用いて、ビットマップデータを記録する光ディスク上の記録位置を決定する機能を持つ記録処理部１０７と、光ディスク上の記録位置に記録パワーの光ビームを発光させ、ビットマップデータに対応する記録マークを形成する機能を持つレーザ駆動部１０８と、を有する。【選択図】図１
2019133734.tif 000002
【特許請求の範囲】
【請求項１】
ディスク状の記録対象媒体の記録面にイメージ情報を記録する光ディスク記録装置であって、
前記イメージ情報に対応するビットマップデータを取得するデータ取得部と、
前記記録対象媒体としての情報記録するトラックにウォブルを有する光ディスクにおいて、前記ウォブルに設定されたアドレス情報をウォブル同期によって取得するアドレス情報取得部と、
前記アドレス情報を用いて、前記ビットマップデータを記録する光ディスク上の記録位置を決定する記録位置決定部と、
前記光ディスク上の記録位置に記録パワーの光ビームを発光させ、前記光ディスクのトラックに前記ビットマップデータに対応する記録マークを形成するマーク記録部と、
を備える光ディスク記録装置。
【請求項２】
請求項１に記載の光ディスク記録装置であって、
前記記録位置決定部は、前記記録位置として、前記記録マークを形成するマーク形成位置を決定する、
光ディスク記録装置。
【請求項３】
請求項２に記載の光ディスク記録装置であって、
前記記録位置決定部は、前記マーク形成位置を、前記光ディスクの半径方向において所定範囲で周方向の記録マークの位置が揃うように決定する、
光ディスク記録装置。
【請求項４】
請求項２に記載の光ディスク記録装置であって、
前記記録位置決定部は、前記マーク形成位置を、前記光ディスクにおけるクラスタアドレスとクラスタ内のチャネルビット数とによって、前記クラスタアドレス及び前記チャネルビットの単位で決定する、
光ディスク記録装置。
【請求項５】
請求項１に記載の光ディスク記録装置であって、
前記記録位置決定部は、前記光ディスクにおいて、前記イメージ情報を記録するためのイメージ情報記録領域を設定し、前記イメージ情報記録領域において前記記録位置を算出する、
光ディスク記録装置。
【請求項６】
請求項１に記載の光ディスク記録装置であって、
前記記録位置決定部は、前記光ディスクに設定されたイメージ情報記録領域において前記記録位置を算出する、
光ディスク記録装置。
【請求項７】
請求項１に記載の光ディスク記録装置であって、
前記イメージ情報は、文字、記号、画像、写真、模様、パターン、二次元コード、バーコード、透かし模様のうちの少なくとも一つを含む、濃淡二値又は階調表現の情報である、
光ディスク記録装置。
【請求項８】
光ディスク記録装置によってディスク状の記録対象媒体の記録面にイメージ情報を記録する光ディスク記録方法であって、
前記イメージ情報に対応するビットマップデータを取得し、
前記記録対象媒体としての情報記録するトラックにウォブルを有する光ディスクにおいて、前記ウォブルに設定されたアドレス情報をウォブル同期によって取得し、
前記アドレス情報を用いて、前記ビットマップデータを記録する光ディスク上の記録位置を決定し、
前記光ディスク上の記録位置に記録パワーの光ビームを発光させ、前記光ディスクのトラックに前記ビットマップデータに対応する記録マークを形成する、
光ディスク記録方法。
【発明の詳細な説明】
【技術分野】
【０００１】
本開示は、光ディスクに対して、目視又は光学読取装置等によって読取可能な文字、画像等のイメージ情報を記録する光ディスク記録装置及び光ディスク記録方法に関する。
【背景技術】
【０００２】
光ディスクにおいて、データを記録する記録面に、文字、記号、絵画、写真などの視認可能な画像（可視画像）を形成することができる光ディスク記録方法が開示されている（例えば、特許文献１参照）。この種の光ディスク記録方法によれば、使用者が光ディスクの記録面を目視することによって、記録内容のタイトルなど、光ディスクに記録されたデータに関連する情報を視認できる。
【先行技術文献】
【特許文献】
【０００３】
【特許文献１】特許第３８４６３７３号公報
【発明の概要】
【発明が解決しようとする課題】
【０００４】
従来の光ディスク記録方法では、データを追記不能な状態とし、空きエリアにおいて、形成開始アドレスと形成終了アドレスとを計算し、これらのアドレス間の領域に可視画像の画像データを記録することにより、可視画像を形成している。この場合、可視画像は、光ディスクの半径方向においては光ピックアップをディスク半径方向に移動させるフィードモータの送り制御によって、周方向においては光ディスクを回転させるスピンドルモータの回転制御によって、所定位置に形成される。このため、可視画像の精度は、これらのモータ駆動制御時の位置精度に依存し、モータ駆動機構の精度と光ディスクの偏心とを含む、機械的な位置精度の範囲内での画像形成しかできなかった。
【０００５】
本開示は、上述した従来の事情に鑑みて案出され、光ディスクの記録面において、高精度のイメージ情報を記録することができる光ディスク記録装置及び光ディスク記録方法を提供することを目的とする。
【課題を解決するための手段】
【０００６】
本開示は、ディスク状の記録対象媒体の記録面にイメージ情報を記録する光ディスク記録装置であって、イメージ情報に対応するビットマップデータを取得するデータ取得部と、記録対象媒体としての情報記録するトラックにウォブルを有する光ディスクにおいて、ウォブルに設定されたアドレス情報をウォブル同期によって取得するアドレス情報取得部と、アドレス情報を用いて、ビットマップデータを記録する光ディスク上の記録位置を決定する記録位置決定部と、光ディスク上の記録位置に記録パワーの光ビームを発光させ、光ディスクのトラックにビットマップデータに対応する記録マークを形成するマーク記録部と、を備える光ディスク記録装置を提供する。
【０００７】
また、本開示は、光ディスク記録装置によってディスク状の記録対象媒体の記録面にイメージ情報を記録する光ディスク記録方法であって、イメージ情報に対応するビットマップデータを取得し、記録対象媒体としての情報記録するトラックにウォブルを有する光ディスクにおいて、ウォブルに設定されたアドレス情報をウォブル同期によって取得し、アドレス情報を用いて、ビットマップデータを記録する光ディスク上の記録位置を決定し、光ディスク上の記録位置に記録パワーの光ビームを発光させ、光ディスクのトラックにビットマップデータに対応する記録マークを形成する、光ディスク記録方法を提供する。
【発明の効果】
【０００８】
本開示によれば、光ディスクの記録面において、高精度のイメージ情報を記録することができる。
【図面の簡単な説明】
【０００９】
【図１】本実施の形態に係る光ディスク記録装置の構成の一例を示すブロック図
【図２】本実施の形態において用いる光ディスクのトラックの構成の一例を示す模式図
【図３】光ディスクの記録面の構成の一例を示す斜視図
【図４】光ディスクのアドレス情報単位の構成の一例を説明する図
【図５】光ディスクにおけるイメージ情報の記録領域の設定の一例を示す図
【図６】本実施の形態に係る光ディスク記録方法においてイメージ情報を記録する際の処理手順を示すフローチャート
【図７】マーク形成位置の算出処理の具体例を示す図
【図８】記録マークのパターンの具体例を示す図
【図９】濃淡を表現する記録マークのパターンの第１例を示す図
【図１０】濃淡を表現する記録マークのパターンの第２例を示す図
【図１１Ａ】イメージ情報を含む記録領域の設定例の第１例を示す図
【図１１Ｂ】イメージ情報を含む記録領域の設定例の第２例を示す図
【図１２Ａ】イメージ情報記録領域を含む記録層の構成の第１例を示す図
【図１２Ｂ】イメージ情報記録領域を含む記録層の構成の第２例を示す図
【図１３Ａ】光ディスクに記録したイメージ情報の第１例を示す図
【図１３Ｂ】光ディスクに記録したイメージ情報の第２例を示す図
【発明を実施するための形態】
【００１０】
以下、適宜図面を参照しながら、本開示に係る光ディスク記録装置及び光ディスク記録方法を具体的に開示した各実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１１】
（光ディスク記録装置の概略構成）
本実施の形態に係る光ディスク記録装置では、ディスク状の記録対象媒体として、例えば、ＢＤ（Blu-ray（登録商標） Disc）、ＤＶＤ、ＣＤなどの光ディスク媒体のうち、記録面に記録マークを書き込み可能な追記型又は書換型の光ディスク媒体を用いる。本実施の形態では、光ディスクは、記録面において情報記録するトラック（例えば、グルーブトラック）にウォブルを有するものを想定する。
【００１２】
光ディスク記録装置は、光ディスクの記録面に記録マークを形成することによって、映像データやコンピュータデータ等の各種ユーザデータの記録データと、文字、記号、写真、模様などの視認可能な画像（可視画像）のイメージ情報とを、記録可能である。イメージ情報は、人間の肉眼で目視可能なものに限らず、例えばレーザ光等の所定の光を用いた光学読取装置等によって読取可能なものも含まれる。光ディスクは、記録面に記録したイメージ情報の視認性の観点では、ＢＤ−Ｒ、ＤＶＤ−Ｒなどの追記型の光ディスク媒体がより好ましい。光ディスクに記録したイメージ情報は、光ディスク記録装置に装着しない状態で、すなわち光ディスクを回転させて所定のトラックにトラッキングさせない状態で、人間の目視又は光学読取装置等によって光学的に読取可能な画像情報である。
【００１３】
図１は、本実施の形態に係る光ディスク記録装置の構成の一例を示すブロック図である。光ディスク記録装置は、光ヘッド１０１と、サーボ制御部１０２と、信号生成部１０３と、ウォブル処理部１０４と、アドレスタイミング生成部１０５と、データ取得部１０６と、記録処理部１０７と、レーザ駆動部１０８と、コントローラ１１１とを備える。
【００１４】
光ディスク記録装置には、記録媒体である光ディスク２０１が装着される。光ヘッド１０１は、レーザ光源、対物レンズ、フォトディテクタを含み、光ディスク２０１に対して光ビームを照射し、光ディスク２０１により反射された光ビームを受光する。光ヘッド１０１のフォトディテクタは、例えば光ディスク２０１のトラックグルーブ方向（タンジェンシャル方向、周方向）及び半径方向（ラジアル方向）に４分割して配置された４つの分割フォトディテクタにより構成され、光ディスク２０１から受光した反射光量の情報を示す電圧レベルを有する電気信号に変換して出力する。
【００１５】
信号生成部１０３は、光ヘッド１０１の各分割フォトディテクタから出力された電気信号に基づき、フォーカスエラー信号、トラッキングエラー信号、ウォブル信号、全加算信号をそれぞれ生成する。
【００１６】
全加算信号は、４つの分割フォトディテクタからの信号を全て加算した信号であり、光ディスクの反射光量そのものを示す信号である。フォーカスエラー信号は、例えば非点収差法により検出された信号である。フォーカスエラー信号は、対角上に配置された２組の分割フォトディテクタからの信号をそれぞれの組で加算し、さらに、各組で求めた加算信号の差を求めることで得られる。
【００１７】
トラッキングエラー信号及びウォブル信号は、プッシュプル法により検出された信号である。トラッキングエラー信号及びウォブル信号は、タンジェンシャル方向に配置された２組の分割フォトディテクタからの信号をそれぞれの組で加算し、さらに、各組で求めた加算信号の差を求めることで得られる。トラッキングエラー信号は、プッシュプル信号から、０Ｈｚから数１０ｋＨｚの周波数成分を抽出することによって生成する。ウォブル信号は、プッシュプル信号から数１０ｋＨｚから数ＭＨｚの信号成分を抽出することによって生成する。
【００１８】
サーボ制御部１０２は、フォーカスエラー信号が０になるように、光ヘッド１０１の対物レンズを光ディスク２０１に対して垂直方向に駆動することによって、光スポットを光ディスク２０１の記録面に集光させる。サーボ制御部１０２は、トラッキングエラー信号が０になるように、光ヘッド１０１の対物レンズを光ディスク２０１のラジアル方向に駆動することによって、光スポットを記録面のグルーブにトラッキングさせる。
【００１９】
なお、光ディスク記録装置は、グルーブに記録するものの他に、ランド及びグルーブに記録するように構成することも可能である。この場合、サーボ制御部１０２は、記録用の光スポットをランド又はグルーブにトラッキングさせる。
【００２０】
ウォブル処理部１０４は、信号生成部１０３により生成したウォブル信号を処理する。ウォブル処理部１０４は、アドレス情報取得部の機能を有し、ウォブル信号のうち、光ディスクの基本ウォブルの部分の再生信号を逓倍したウォブルクロックの生成、クラスタの位置情報となるアドレス情報を含むアドレス情報単位（ＡＤＩＰ：ADress In Pre-groove）の同期（ＡＤＩＰ同期）の検出、アドレス情報の再生を行う。
【００２１】
アドレスタイミング生成部１０５は、ウォブル処理部１０４により生成した各種信号から、記録処理のタイミングを生成し、タイミング信号を記録処理部１０７に出力する。このとき、アドレスタイミング生成部１０５は、コントローラ１１１から指示を受けた目標のアドレスを利用する。
【００２２】
光ディスク記録装置は、情報の記録に関して、各部が以下の動作を行う。ユーザデータの記録を行う場合、データ取得部１０６は、ユーザデータの記録データを受け取ってメモリに記憶し、エラー訂正符号の付加、バイナリデータへの変調等の各種データ変換処理を行う。また、イメージ情報の記録を行う場合、データ取得部１０６は、イメージ情報のビットマップデータを受け取ってメモリに記憶し、必要に応じて極座標変換などのデータ変換処理を行う。
【００２３】
記録処理部１０７は、記録位置決定部の機能を有し、取得した記録データ又はビットマップデータに基づき、光ディスク上の記録位置を決定する。また、記録処理部１０７は、アドレスタイミング生成部１０５が生成した記録目標アドレスのタイミングに応じて、データ変換処理後の記録信号に基づき、レーザ駆動部１０８に対して発光制御信号を出力し、決定した記録位置に対応した記録パワーの光ビームの発光指令を行う。レーザ駆動部１０８は、マーク記録部の機能を有し、発光制御信号に応じて光ヘッド１０１のレーザ光源を駆動し、光ヘッド１０１から記録パワーの光ビームを発光させる。
【００２４】
上記の記録動作により、光ディスク２０１の記録面に記録マークが形成される。記録マークは、記録情報の“０”、“１”に応じて、光ディスク２０１のデータの記録単位であるクラスタにおいて、クラスタ内のチャネルビット毎に形成される。
【００２５】
光ディスク２０１がＢＤの場合、記録マークは、チャネルビット長をＴとした場合、２Ｔ〜９Ｔのいずれかのマーク長を有する。この場合、記録マークの最短のマーク長は２Ｔとなる。
【００２６】
（光ディスクの概略構成）
図２は、本実施の形態において用いる光ディスクのトラックの構成の一例を示す模式図である。ここで、本実施の形態の光ディスク記録装置において記録媒体として用いる光ディスク２０１の構成について、一例を挙げて以下に説明する。
【００２７】
光ディスク２０１は、記録面２１０に、グルーブトラック（以下、単に「グルーブ」ともいう）２０２がスパイラル状に形成されている。スパイラル状に形成されたグルーブ２０２に挟まれた領域にランドトラック（以下、単に「ランド」ともいう）２０３がスパイラル状に形成されている。光ディスク２０１は、グルーブ２０２にユーザデータ又はイメージ情報が記録可能である。すなわち、グルーブ２０２が記録トラックとして使用され得る。なお、光ディスク２０１は、グルーブ２０２及びランド２０３の双方にユーザデータ又はイメージ情報を記録可能であってもよい。
【００２８】
グルーブ２０２は、トラックグルーブ方向（周方向）において所定の長さ毎に複数の単位に分割される。この分割されたグルーブ２０２の単位が、アドレス情報単位（ＡＤＩＰ）２０４を形成する。ＡＤＩＰ２０４は、光ディスク２０１の単位領域について１つのアドレス情報を有する。ＡＤＩＰ２０４は、先頭部分に同期領域２０５を有し、同期領域２０５に続いてアドレス情報領域２０６を有する。ＡＤＩＰ２０４は、さらに複数のＡＤＩＰユニット（ＡＵ）２３３により構成される。
【００２９】
図３は、光ディスクの記録面の構成の一例を示す斜視図であり、記録面の一部を拡大して示した図である。
【００３０】
グルーブ２０２は、ディスク製造時において、スタンパ上に溝として形成されている部分が記録面に転写されることによって形成される。グルーブ２０２は、光ヘッド１０１の光源に近い側に位置する。スタンパ上に溝を形成する場合に、ディスク製造装置においては一定のビーム強度で形成するため、溝幅はほぼ一定となるように作製される。よって、スタンパ上の溝の転写で形成される光ディスク２０１におけるグルーブ２０２は、幅がほぼ一定に形成され、光ディスク２０１の全面においてトラック幅がほぼ一定である。そして、グルーブ２０２間にランド２０３が存在する。
【００３１】
グルーブ２０２及びランド２０３は、大部分において一定周期で蛇行している。このトラックの蛇行がウォブルである。ウォブルは、光スポット２２１がグルーブ２０２を追従する場合において、追従する際の反応速度より短い周期で形成されている。このため、光スポット２２１とグルーブ２０２の位置関係に変位が生じ、その変位を光学的に検出し電気信号に変換することによって、ウォブルの形状を検出することができる。
【００３２】
ウォブルの検出においては、その検出信号に同期したクロックを生成する。このクロックは、光ディスク２０１における物理長さや線速度の検出に用いられる。または、このクロックは、ウォブル形状を変化させることによって記録された副情報の再生に用いることができる。本実施の形態における光ディスク媒体では、ウォブルによってアドレス情報を記録している。このように、光ディスク２０１のトラックに形成されたウォブルの周期に同期して、ウォブル形状を検出することを、「ウォブル同期」と称する。
【００３３】
図４は、光ディスクのアドレス情報単位（ＡＤＩＰ）の構成の一例を説明する図である。
【００３４】
ＡＤＩＰ２０４は、所定数のＡＤＩＰユニット２３３により構成される。なお、図４では、説明の便宜上、本来図２に示すように連続したＡＤＩＰ２０４の領域に配置されるＡＤＩＰユニット２３３を、ＡＤＩＰユニット２３３毎に分割し、並列して記載している。ＡＤＩＰ２０４の大部分は、基本ウォブル２３２により構成されている。基本ウォブル２３２の形状は、例えば＋ｃｏｓ（ωｔ）の１周期の波形に相当する。基本ウォブル２３２は、その１周期内において、最大内周変位、最大外周変位、最大内周変位と推移するような波形形状を有する。
【００３５】
ＡＤＩＰ２０４において、基本ウォブル２３２以外の部分は、基本ウォブル２３２の１周期と同じ周期をもつウォブルで構成されている。以下、この基本ウォブル２３２の１周期を「ウォブル周期」と称する。図示例では、５６ウォブル周期によってＡＤＩＰユニット２３３を構成している。
【００３６】
ＡＤＩＰユニット２３３の先頭３ウォブル周期において、ＡＤＩＰユニットの区切りを示すＭＳＫ（Minimum Shift Keying）マーク２３１が配置されている。ＭＳＫマーク２３１は、例えば形状が＋ｃｏｓ（１．５ωｔ）、−ｃｏｓ（ωｔ）、−ｃｏｓ（１．５ωｔ）の波形となるウォブルを、それぞれ１ウォブル周期ずつ接続することで構成されている。ＭＳＫマーク２３１の２番目に配置される−ｃｏｓ（ωｔ）の波形で表されるウォブルは、基本ウォブル２３２に対して位相が反転した形状を有する。このため、基本ウォブル２３２に同期した信号から位相検波することで、ＭＳＫマーク２３１の位置を検出することが可能である。
【００３７】
ＡＤＩＰユニット２３３には、ＡＤＩＰ２０４の同期領域２０５に含まれるものと、ＡＤＩＰ２０４のアドレス情報領域２０６に含まれるものとがある。ＡＤＩＰユニット２３３は、ＭＳＫマーク２３１に続く残り５３ウォブル周期においては、それぞれ与えられた機能ごとに特定のパターンを有している。
【００３８】
まず、ＡＤＩＰ２０４の同期領域２０５に含まれるＡＤＩＰユニット２３３について説明する。同期領域２０５においては、モノトーンＡＤＩＰユニット２３４、第１の同期ＡＤＩＰユニット２３５、第２の同期ＡＤＩＰユニット２３６、第３の同期ＡＤＩＰユニット２３７、及び第４の同期ＡＤＩＰユニット２３８が配置される。
【００３９】
モノトーンＡＤＩＰユニット２３４は、先頭のＭＳＫマーク２３１を除き、他は基本ウォブル２３２によってのみ構成されている。これはウォブルに同期したクロックを安定に生成するためである。第１の同期ＡＤＩＰユニット２３５、第２の同期ＡＤＩＰユニット２３６、第３の同期ＡＤＩＰユニット２３７、及び第４の同期ＡＤＩＰユニット２３８は、ＡＤＩＰ２０４における位置を特定するためのものである。そしてこれらは、ＡＤＩＰ２０４の先頭近くに配置される。ＡＤＩＰ２０４内に同一パターンのＡＤＩＰユニットは他に存在しない。
【００４０】
次に、ＡＤＩＰ２０４のアドレス情報領域２０６に含まれるＡＤＩＰユニット３０３について説明する。アドレス情報領域２０６においては、モノトーンＡＤＩＰユニット２３４と、アドレス情報ＡＤＩＰユニット２３９とが配置される。
【００４１】
アドレス情報領域２０６は、例えば１つのモノトーンＡＤＩＰユニット２３４と４つのアドレス情報ＡＤＩＰユニット２３９とを１単位とし、これらの１５単位から構成されている。
【００４２】
アドレス情報ＡＤＩＰユニット２３９は１ビットの情報を有する。アドレス情報領域２０６全体として７５個のＡＤＩＰユニット（すなわち、６０個のアドレス情報ＡＤＩＰユニット２３９）により６０ビットの情報を有する。アドレス情報ＡＤＩＰユニット２３９は、アドレス情報ウォブル２４０において１ビットを記録する。この６０ビットの情報には、光ディスク内における物理位置情報であるアドレス情報だけでなく、多層ディスクにおけるレイヤー情報、光ディスクに記録するための条件に関する情報、著作権情報、等の副情報、及び、それらの情報に対するエラー訂正／エラー検出符号を含めてもよい。
【００４３】
アドレス情報ＡＤＩＰユニット２３９は、ＭＳＫマーク２３１、基本ウォブル２３２、及びアドレス情報ウォブル２４０を含む。アドレス情報ＡＤＩＰユニット２３９は、先頭の３ウォブル周期にＭＳＫマーク２３１を有する。それに後続する２７ウォブル周期に基本ウォブル２３２を有する。そしてさらに後続する２６ウォブル周期にアドレス情報ウォブル２４０を有する。アドレス情報ウォブル２４０は、アドレス情報に基づいて形成され、アドレス情報の“０”と“１”を表現するものである。したがって、アドレス情報ウォブル２４０のウォブル形状をウォブル周期に同期して検出することによって、ウォブル同期によるアドレス情報の取得が可能である。
【００４４】
光ディスク２０１がＢＤの場合、アドレス情報ウォブル２４０は、ＭＳＫに多重する形でＳＴＷ（Saw Tooth Wobble）を用いた形状を有する。ＳＴＷの信号エネルギーはＭＳＫとは異なり空間的に分布しており、積分により検出する方法をとるため、部分的な欠陥に対して耐性がある。アドレス情報ウォブル２４０は、ＭＳＫとＳＴＷの双方を用いることによって、よりロバストなアドレス情報の検出が可能となる。
【００４５】
（イメージ情報の記録領域の設定）
次に、光ディスクの記録面にイメージ情報を記録する際の記録領域の設定の概要について説明する。
【００４６】
図５は、光ディスクにおけるイメージ情報の記録領域の設定の一例を示す図である。光ディスク２０１において、ユーザデータの記録領域をユーザデータ記録領域２５１、イメージ情報の記録領域をイメージ情報記録領域２５２とする。図示例では、光ディスク２０１の外周部にイメージ情報記録領域２５２を設定する例を示している。
【００４７】
光ディスク２０１の記録面にイメージ情報を記録する際に、ディスクフォーマットとして記録面の外周部にイメージ情報記録領域２５２を設定する。この際、光ディスク２０１のアドレス情報に基づき、イメージ情報記録領域２５２の開始位置Ｒｉ０と終了位置Ｒｉ１とを設定する。なお、図示例では記録面の残りの内周部の領域をユーザデータ記録領域２５１に設定するものとする。
【００４８】
ユーザデータ記録領域２５１の開始位置（ディスク記録領域の最内周トラック位置）Ｒｄ０から終了位置（イメージ情報記録領域２５２の開始位置Ｒｉ０）までのディスク半径方向（以下、単に「半径方向」ともいう）の長さをｒｄ、イメージ情報記録領域２５２の開始位置Ｒｉ０から終了位置Ｒｉ１までの半径方向の長さをｒｉとする。これらの半径方向の長さｒｉ、ｒｄは、トラックピッチ（トラックとトラックの間隔）Ｔｐとそれぞれの領域のトラック数とによって求められる。
【００４９】
イメージ情報記録領域２５２は、光ディスク２０１のディスクフォーマットに応じて、例えばディスクフォーマット時などに予めイメージ情報記録領域２５２を確保するよう記録領域の設定を行ってもよいし、イメージ情報の記録を行う際にその都度記録領域の設定を行ってもよい。光ディスク２０１がＢＤなどの場合は、記録領域の設定を任意に行える。
【００５０】
（イメージ情報の記録動作）
次に、本実施の形態の光ディスク記録装置において、光ディスクの記録面にイメージ情報を記録する際の動作について説明する。
【００５１】
図６は、本実施の形態に係る光ディスク記録方法においてイメージ情報を記録する際の処理手順を示すフローチャートである。
【００５２】
光ディスク記録装置は、データ取得部１０６において、イメージ情報のビットマップデータを取得し、メモリに記憶する（Ｓ１１）。イメージ情報のビットマップデータは、ユーザの指示に基づいて記録対象の画像データを入力する、ユーザの操作によって記録用の画像データを生成する、外部から伝送された記録対象の画像データを入力する、等々、種々の方法により取得可能である。この際、外部のイメージ情報作成用のアプリケーションソフトウェア、ビットマップデータ選択入力用のアプリケーションソフトウェア、ビットマップデータ受信用のインタフェースソフトウェアなど、種々のソフトウェアプログラムを利用すればよい。
【００５３】
イメージ情報は、例えば、文字、記号、画像、写真、模様、パターン、ＱＲコード（登録商標）等の二次元コード、バーコード、透かし模様など、目視又は光学読取装置等によって読取可能な種々の情報を用いてよい。また、光ディスクに記録するイメージ情報は、白黒二値の画像に限らず、ドットパターンにより網点を形成しグレースケールの階調表現が可能である。
【００５４】
次に、光ディスク記録装置は、場合に応じて、データ取得部１０６においてデータ変換処理としてビットマップデータの極座標変換を行う（Ｓ１２）。極座標変換処理では、データ取得部１０６は、Ｘ−Ｙ直交座標をｒ−θ極座標に変換する。例えば、ビットマップデータが写真などの画像、或いは二次元コードなどの符号パターンの場合は、光ディスク上に記録したイメージ情報が歪むと視認困難になる場合があるため、Ｘ−Ｙ直交座標→ｒ−θ極座標の変換を行う。光ディスクにおけるビットマップデータの記録開始位置、マーク形成位置、記録終了位置等の算出にあたり、極座標の方が演算しやすいので、ビットマップデータは極座標表現に変換するのが好ましい。なお、ビットマップデータが文字の場合、極座標変換を行わずに、Ｘ→ｒ、Ｙ→θとみなしてＸ−Ｙ直交座標をそのままｒ−θ極座標として扱っても十分認識可能であるので、必ずしも極座標変換を行わなくてもよい。
【００５５】
続いて、光ディスク記録装置は、記録処理部１０７において、イメージ情報のビットマップデータに基づき、記録位置の一例として、光ディスクの記録面における記録マークの記録開始位置を算出する（Ｓ１３）。記録開始位置の算出処理では、上述のように設定したイメージ情報記録領域２５２において、記録すべきビットマップデータに応じて、記録マークを形成する開始位置として、半径方向の位置Ｒと周方向（トラックグルーブ方向）の位置θとによって表現される値を算出する。ディスク半径方向については、記録領域のアドレス情報に基づき、基準トラックからのトラック数を求めることによって半径方向の位置Ｒを算出する。周方向については、記録領域のアドレス情報に基づき、データの記録単位であるクラスタを用いて、該当するトラックの基準位置（基準クラスタ）からのクラスタ数を求めることによって周方向の位置θを算出する。なお、記録位置の一例として、記録マークの記録開始位置とともに、記録終了位置を算出してよい。
【００５６】
そして、光ディスク記録装置は、記録処理部１０７において、イメージ情報のビットマップデータに基づき、記録位置の一例として、記録対象のイメージに対応して形成する記録マークの形成位置（マーク形成位置）を算出する（Ｓ１４）。マーク形成位置の算出処理では、記録すべきビットマップデータに応じて、マーク形成位置として、クラスタアドレスとクラスタ内のチャネルビット数とによって表現される値を算出する。マーク形成位置の算出処理の具体例については後述する。
【００５７】
次に、光ディスク記録装置は、ビットマップデータに対応して算出した記録マークの形成位置に従って、記録マークの形成を行う（Ｓ１５）。記録マークの形成処理では、記録処理部１０７によりマーク形成位置に応じた発光制御信号を生成し、レーザ駆動部１０８により発光制御信号に応じて光ヘッド１０１のレーザ光源を駆動し、光ヘッド１０１から記録パワーの光ビームを発光させる。これにより、光ディスク２０１の記録面には、トラック単位及びチャネルビット単位で所定のマーク形成位置に記録マークが形成され、トラック上にチャネルビットの精度による高精度のイメージ情報が表現される。
【００５８】
（記録マークの具体例）
図７は、マーク形成位置の算出処理の具体例を示す図である。図７は、光ディスク２０１の記録面を模式的に示し、二次元平面を極座標表現で表した図であり、横軸方向が周方向の位置θ、縦軸方向が半径方向の位置Ｒで示されている。半径方向の位置Ｒは、トラックに対応し、それぞれのトラックに記載されている数字（１０００、１００１、…）はクラスタのアドレスを表している。ここでは、光ディスク２０１がＢＤの場合の具体例を説明する。
【００５９】
図７は、黒い四角形状の二値画像を形成する場合の記録マークを形成する領域Ａｗを示しており、ビットマップデータに応じてＲ＝Ｒｓ〜Ｒｅ、θ＝θｓ〜θｅの色を変化させ、領域Ａｗを塗りつぶすイメージを形成（描画）する例を示したものである。以下、記録面に形成する記録マークを単に「マーク」とも称する。
【００６０】
まず、領域Ａｗのイメージを得るためのマークを形成するトラックの決定方法を説明する。基準クラスタの開始位置をθ＝０、Ｒ＝Ｒ０とし、トラックピッチ（トラックとトラックの間隔）をＴｐとする。ディスク半径方向において、基準クラスタの位置Ｒ０から記録開始位置Ｒｓまでのトラック数をＴｓとすると、Ｔｓは（Ｒｓ−Ｒ０）÷Ｔｐの整数部となる。また、基準クラスタの位置Ｒ０から記録終了位置Ｒｅまでのトラック数をＴｅとすると、Ｔｅは（Ｒｅ−Ｒ０）÷Ｔｐの整数部となる。これらにより、基準クラスタからＴｓ番目のトラックからＴｅ番目のトラックまでにマークを形成する。ここでは基準クラスタのあるトラックを０番目のトラックとする。
【００６１】
次に、Ｔｎ番目のトラックにおいて周方向のθ＝θｎとなる位置の算出方法を説明する。まず、基準位置となるＴｎ番目のトラックのθ＝０の位置を求める。Ｔｎ番目のトラックの基準位置は、基準クラスタからのクラスタ数を算出することによって求められる。基準クラスタからθｎとなる位置までのクラスタ数をＣｎとすると、Ｃｎは次の式に示すように、基準クラスタの半径方向の位置Ｒ０から（Ｒ０＋Ｔｎ＊Ｔｐ）までのドーナツ形状の面積を１クラスタの面積（Ｔｐ＊クラスタ長）で割った値で表される。
【００６２】
Ｃｎ＝（ＰＩ＊（Ｒ０＋Ｔｎ＊Ｔｐ）＾２−ＰＩ＊Ｒ０＾２）／（Ｔｐ＊Ｌｃ）
…（１）
ここで、＊は乗算演算子、＾はべき乗演算子、ＰＩは円周率、Ｌｃは１クラスタの物理長（クラスタ長）である。
【００６３】
上記（１）式において、Ｃｎの演算結果の整数部が基準クラスタから何番目のクラスタかのクラスタ数を示し、小数部分に１クラスタのチャネルビット数を乗じたものがクラスタ内の何チャネルビット目かのチャネルビット数Ｐθ０を示す。ここでは基準クラスタを０番目のクラスタとする。
【００６４】
そして、Ｔｎ番目のトラックの半径Ｒｎは、Ｒｎ＝（Ｒ０＋Ｔｎ＊Ｔｐ）であるので、θ＝θｎとなる位置をＬｎとすると、次の式に示すようになる。
【００６５】
Ｌｎ＝（Ｒ０＋Ｔｎ＊Ｔｐ）＊２＊ＰＩ＊θ／（２＊ＰＩ）    …（２）
【００６６】
位置Ｌｎはθ＝０からθｎまでの物理長を示し、これをチャネルビット数Ｎｃｈに変換すると、次の式に示すようになる。
【００６７】
Ｎｃｈ＝Ｌｎ／Ｌｃｈ    …（３）
ここで、Ｌｃｈは１チャネルビットの物理長（チャネル長）である。
【００６８】
このチャネルビット数Ｎｃｈをθ＝０となるチャネルビットの位置Ｐθ０に加えることにより、θ＝θｎとなるチャネルビットの位置Ｐθｎが求められる。これにより、何クラスタ目の何チャネルビット目かを算出できる。
【００６９】
Ｐθｎ＝Ｐθ０＋Ｎｃｈ    …（４）
【００７０】
このようにして、マークを形成するトラックとクラスタ及びチャネルビットを計算により決定する。
【００７１】
図８は、記録マークのパターンの具体例を示す図である。図８は、図７に対応して実際に形成する記録マークの一例を示している。この場合、半径方向の開始位置Ｒｓに対応するトラックＴ１から、終了位置Ｒｅに対応するトラックＴ５まで、各トラックにおいて周方向の開始位置θｓから終了位置θｅまでの区間に連続するマークＭｉを形成する。このように形成したマークＭｉにより、領域Ａｗを塗りつぶすイメージが表現され、目視可能な四角形状の画像を記録することができる。
【００７２】
ＢＤフォーマットの光ディスク２０１の場合、標準的な値は以下の通りである。
基準クラスタの半径方向の開始位置：Ｒ０＝２４．０［ｍｍ］
トラックピッチ：Ｔｐ＝０．３２［μｍ］
１チャネルビットの物理長：Ｌｃｈ＝７４．５［ｎｍ］
１クラスタのチャネルビット数：Ｎｃｌ＝１９３２＊４９８＝９６２１３６
ただし、Ｒ０，Ｔｐ，Ｌｃｈのうちの少なくとも２つは、使用する光ディスク個体に合わせて微調整した値を用いる必要がある。ＢＤフォーマットの場合、トラック数は約１０００００になるため、微調整した値の有効数字は７桁以上必要になる。
【００７３】
したがって、光ディスク２０１がＢＤの場合、半径方向においては、トラックピッチＴｐに対応する０．３２μｍの精度で記録マークを形成可能である。また、周方向においては、１チャネルビットの物理長Ｌｃｈ（１Ｔ相当）に対応する７４．５ｎｍの精度で記録マークを形成可能である。つまり、光ディスク２０１のトラックピッチの精度で高精度のイメージ情報を記録できる。また、小さい領域に多くの情報を記録可能である。
【００７４】
なお、光ディスク２０１のグルーブのみの記録ではなく、ランド及びグルーブ両方に記録するようにした場合、トラックピッチの１／２の精度（ＢＤの場合、０．１６μｍ）でイメージ情報を記録することも可能である。また、トラックピッチがさらに狭い光ディスクであれば、より精細なイメージ情報を描画することができる。また、周方向において、マーク形成位置の始端終端は、１Ｔをさらに数十分割して位置制御することも可能である。
【００７５】
図９は、濃淡を表現する記録マークのパターンの第１例を示す図である。図９は、図７の領域Ａｗに対応する部分を、グレースケールの濃淡を持つイメージで表現する記録マークの一例を示している。第１例は、連続するマークではなく、一部にスペースを有するマークＭｉ１を形成することにより、グレースケールの濃淡を表現するものである。この場合、記録するマークとスペースの比率によって、濃度を調整可能である。また、マークとスペースの比率を同じにした同等の濃度を表す記録マークであっても、マークとスペースの配分を変更することで異なるパターンを形成することもでき、パターンによって異なる情報を持たせることもできる。
【００７６】
図１０は、濃淡を表現する記録マークのパターンの第２例を示す図である。図９は、図７の領域Ａｗに対応する部分を、グレースケールの濃淡を持つイメージで表現する記録マークの他の例を示している。第２例は、連続するトラックではなく、間引いた一部のトラックにマークＭｉ２を形成することにより、グレースケールの濃淡を表現するものである。この場合、記録するトラックの間引き率によって、濃度を調整可能である。また、トラックの間引き率を同じにした同等の濃度を表す記録マークであっても、間引くトラックの配分を変更することで異なるパターンを形成することもでき、パターンによって異なる情報を持たせることもできる。
【００７７】
なお、図９の第１例と図１０の第２例とを組み合わせて、記録するマークとスペースの配分及びトラックの間引きによってグレースケールの濃淡を持つイメージを表現することも可能である。
【００７８】
イメージ情報のビットマップデータを記録する場合、図８〜図１０に示したように、ディスク半径方向に沿って、所定範囲で周方向の記録マークの位置を合わせるようにする。このとき、図８及び図９のように連続するトラック、図１０のように数トラックおきで連続するトラック（図示例では１トラックおき）など、ディスク半径方向において所定パターンでマーク形成位置を揃える。これにより、ユーザデータの記録マークのようなランダムなものではなく、整列した記録マークによって読取可能なイメージ情報が形成できる。
【００７９】
（イメージ情報を含む記録領域の設定例）
図１１Ａは、イメージ情報を含む記録領域の設定例の第１例を示す図である。図１１Ｂは、イメージ情報を含む記録領域の設定例の第２例を示す図である。図１１Ａ、図１１Ｂは、光ディスク２０１の記録フォーマットとして、記録面の記録領域をＡ１〜Ａ４の４つの領域に分割した例を示している。
【００８０】
図１１Ａに示す第１例は、ディスク外周部の領域Ａ４をイメージ情報記録領域２５２に設定した例である。この場合、光ディスクの内周側の領域Ａ１などがユーザデータ記録領域２５１に設定され、ユーザデータが記録される。また、外周側の領域Ａ４のイメージ情報記録領域２５２にイメージ情報が記録される。
【００８１】
図１１Ｂに示す第２例は、ディスク内周部の領域Ａ１をイメージ情報記録領域２５２に設定した例である。この場合、光ディスクの外周側の領域Ａ２などがユーザデータ記録領域２５１に設定され、ユーザデータが記録される。また、内周側の領域Ａ１のイメージ情報記録領域２５２にイメージ情報が記録される。
【００８２】
ユーザデータ記録領域２５１及びイメージ情報記録領域２５２の設定は、光ディスク記録装置において、例えばディスクフォーマット時など、情報記録を行う前に予め設定してもよいし、記録動作の実行時に、その都度領域設定を行うこともできる。光ディスク２０１がＢＤなどの場合は、記録領域の設定を任意に行える。
【００８３】
なお、光ディスクの用途によって、記録面の中間部分の領域Ａ２、Ａ３などにイメージ情報記録領域２５２を設定してユーザデータ記録領域の間にイメージ情報を記録することも可能である。
【００８４】
（光ディスクの記録層の構成例）
図１２Ａは、イメージ情報記録領域を含む記録層の構成の第１例を示す図である。図１２Ｂは、イメージ情報記録領域を含む記録層の構成の第２例を示す図である。図１２Ａ、図１２Ｂは、光ディスク２０１の記録層の断面を模式的に示したものである。
【００８５】
図１２Ａに示す第１例は、単層の光ディスクであり、ディスク内周部にユーザデータ記録領域２５１が配置され、ディスク外周部にイメージ情報記録領域２５２が配置されている。図１２Ｂに示す第２例は、二層の光ディスクであり、第１層ＲＬ１と第２層ＲＬ２のそれぞれにおいて、ディスク内周部にユーザデータ記録領域２５１が配置され、ディスク外周部にイメージ情報記録領域２５２が配置されている。このように、多層の光ディスクにおいても、各層の記録面にイメージ情報記録領域２５２を設定してイメージ情報を記録することができる。
【００８６】
なお、イメージ情報記録領域２５２は、光ディスクの外周部に限らず、内周部など、任意の位置に設定し、イメージ情報を記録することも可能である。また、多層の光ディスクの場合、任意の記録層の任意の位置にイメージ情報記録領域２５２を設定し、イメージ情報を記録することも可能である。
【００８７】
（光ディスクのイメージ情報記録例）
図１３Ａは、光ディスクに記録したイメージ情報の第１例を示す図である。図１３Ｂは、光ディスクに記録したイメージ情報の第２例を示す図である。図１３Ａ、図１３Ｂは、光ディスク２０１の記録層の表面を示したものである。
【００８８】
図１３Ａに示す第１例は、光ディスク２０１の記録面２１０の外周部にイメージ情報記録領域２５２が設定され、文字、透かし模様、写真を含むイメージ情報２７１Ａが記録されている。
【００８９】
図１３Ｂに示す第２例は、光ディスク２０１の記録面２１０の内周部にイメージ情報記録領域２５２が設定され、文字、ＱＲコード（登録商標）、画像を含むイメージ情報２７１Ｂが記録されている。
【００９０】
イメージ情報は、光ディスク２０１の記録面２１０において、ディスクフォーマットに応じて任意の位置に設定したイメージ情報記録領域２５２に、種々のビットマップデータに基づくイメージを形成可能である。なお、イメージ情報は、ユーザデータ記録領域２５１にユーザデータを記録した後に記録することもできるし、ユーザデータを記録する前に記録することも可能である。
【００９１】
また、光ディスク２０１に記録したイメージ情報は、光ディスク単体で光学的に読取可能であり、光ディスク記録装置に装着しない状態で、光ディスクを回転させずに読み取ることができる。イメージ情報は、人間の肉眼で目視して読取可能なもの、特定波長のレーザ光等の参照光を用いた光学読取装置等によって読取可能なものなど、種々の情報を記録可能である。
【００９２】
また、イメージ情報は、透かし模様などのパターンに著作権情報、シリアル情報などの副情報を持たせることによって、光ディスク２０１に記録したユーザデータの真贋を判別するために用いることも可能である。この場合、パターンの態様によって特定の副情報を持つように設定しておき、パターンによる副情報をイメージ情報に埋め込む。ユーザは、光学読取装置等によってイメージ情報に埋め込まれたパターンを検出することによって副情報を読み取り、ユーザデータの不正コピーや改ざんの有無を判定できる。
【００９３】
以上のように、本実施の形態の光ディスク記録装置は、ディスク状の記録対象媒体の記録面にイメージ情報を記録する光ディスク記録装置であって、イメージ情報に対応するビットマップデータを取得するデータ取得部１０６と、記録対象媒体としての情報記録するトラックにウォブルを有する光ディスク２０１において、ウォブルに設定されたアドレス情報をウォブル同期によって取得するアドレス情報取得部としてのウォブル処理部１０４と、アドレス情報を用いて、ビットマップデータを記録する光ディスク上の記録位置を決定する記録位置決定部としての記録処理部１０７と、光ディスク上の記録位置に記録パワーの光ビームを発光させ、光ディスク２０１のトラックにビットマップデータに対応する記録マークを形成するマーク記録部としてのレーザ駆動部１０８と、を備える。
【００９４】
上記構成により、トラックのアドレス情報を用いて記録位置を決定することによって、光ディスク上のトラック及びアドレス情報の位置精度で、イメージ情報を表現するビットマップデータに対応する記録マークを形成可能である。したがって、光ディスクの記録面において、高精度のイメージ情報を記録することができる。
【００９５】
また、光ディスク記録装置において、記録処理部１０７は、ビットマップデータを記録する記録位置として、記録マークを形成するマーク形成位置を決定する。これにより、光ディスクにおいて記録再生に用いる記録マークの位置精度によって、イメージ情報を表現するビットマップデータに対応する記録マークを形成可能である。具体的には、ディスク半径方向はトラックピッチの精度、周方向は１チャネルビットの物理長と記録マークの最短長（２Ｔ）の精度によって、高精度のビットマップデータを光ディスク上に記録可能になる。したがって、光ディスクの記録面において、高精度のイメージ情報を記録することができる。
【００９６】
また、光ディスク記録装置において、記録処理部１０７は、マーク形成位置を、光ディスク２０１の半径方向において所定範囲で周方向の記録マークの位置が揃うように決定する。これにより、文字、写真、パターンなど、光学的に読取可能なイメージ情報を光ディスク２０１の記録面に形成可能である。
【００９７】
また、光ディスク記録装置において、記録処理部１０７は、マーク形成位置を、光ディスク２０１におけるクラスタアドレスとクラスタ内のチャネルビット数とによって、クラスタアドレス及びチャネルビットの単位で決定する。これにより、光ディスク上のクラスタアドレス及びチャネルビットの単位で記録位置を決定し、記録マークを形成できるため、高精度なイメージ情報の記録が可能となる。
【００９８】
また、光ディスク記録装置において、記録処理部１０７は、光ディスク２０１において、イメージ情報を記録するためのイメージ情報記録領域２５２を設定し、イメージ情報記録領域２５２において記録位置を算出する。これにより、イメージ情報の記録時などに、その都度イメージ情報記録領域２５２を設定して、イメージ情報を表現するビットマップデータに対応する記録マークを記録可能である。
【００９９】
また、光ディスク記録装置において、記録処理部１０７は、光ディスク２０１に設定されたイメージ情報記録領域２５２において記録位置を算出する。これにより、光ディスク２０１のフォーマット時などに予め設定されたイメージ情報記録領域２５２において、イメージ情報を表現するビットマップデータに対応する記録マークを記録可能である。
【０１００】
また、光ディスク記録装置において、イメージ情報は、文字、記号、画像、写真、模様、パターン、二次元コード、バーコード、透かし模様のうちの少なくとも一つを含む、濃淡二値又は階調表現の情報である。これにより、イメージ情報として、濃淡二値（白黒二値）又は階調表現（グレースケール）の種々の画像情報を高精度に記録できる。例えば、文字、記号、画像、写真、模様、パターンなどを人間が肉眼で読み取ることもできるし、光学読取装置で読み取ることもできる。光ディスクに記録したイメージ情報によって、ユーザデータとして記録した記録データの情報（内容、タイトル、データ種別、作者、作成日時など）を容易に確認できる。また、パターン、二次元コード（ＱＲコード（登録商標））、バーコード、透かし模様などを光学読取装置で読み取ることもできる。二次元コードや透かし模様などに著作権情報、シリアル情報などの副情報を持たせることで、光ディスクや記録データの個体判定、真贋判定などが可能となる。
【０１０１】
また、本実施の形態の光ディスク記録方法は、光ディスク記録装置によってディスク状の記録対象媒体の記録面にイメージ情報を記録する光ディスク記録方法であって、データ取得部１０６にてイメージ情報に対応するビットマップデータを取得し、記録対象媒体としての情報記録するトラックにウォブルを有する光ディスク２０１において、ウォブル処理部１０４にてウォブルに設定されたアドレス情報をウォブル同期によって取得し、記録処理部１０７において、アドレス情報を用いて、ビットマップデータを記録する光ディスク上の記録位置を決定し、レーザ駆動部１０８にて光ディスク上の記録位置に記録パワーの光ビームを発光させ、光ディスク２０１のトラックにビットマップデータに対応する記録マークを形成する。
【０１０２】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、発明の趣旨を逸脱しない範囲において、上記実施形態における各構成要素を任意に組み合わせてもよい。
【産業上の利用可能性】
【０１０３】
本開示は、光ディスクの記録面において、高精度のイメージ情報を記録することができる光ディスク記録装置及び光ディスク記録方法として有用である。
【符号の説明】
【０１０４】
１０１  光ヘッド
１０２  サーボ制御部
１０３  信号生成部
１０４  ウォブル処理部
１０５  アドレスタイミング生成部
１０６  データ取得部
１０７  記録処理部
１０８  レーザ駆動部
１１１  コントローラ
２０１  光ディスク
２０２  グルーブトラック（グルーブ）
２０３  ランドトラック（ランド）
２０４  ＡＤＩＰ
２０５  同期領域
２０６  アドレス情報領域
２１０  記録面
２３２  基本ウォブル
２３９  アドレス情報ＡＤＩＰユニット
２４０  アドレス情報ウォブル
２５１  ユーザデータ記録領域
２５２  イメージ情報記録領域
２７１Ａ、２７１Ｂ  イメージ情報
【図１】
2019133734.tif 000003
【図２】
2019133734.tif 000004
【図３】
2019133734.tif 000005
【図４】
2019133734.tif 000006
【図５】
2019133734.tif 000007
【図６】
2019133734.tif 000008
【図７】
2019133734.tif 000009
【図８】
2019133734.tif 000010
【図９】
2019133734.tif 000011
【図１０】
2019133734.tif 000012
【図１１Ａ】
2019133734.tif 000013
【図１１Ｂ】
2019133734.tif 000014
【図１２Ａ】
2019133734.tif 000015
【図１２Ｂ】
2019133734.tif 000016
【図１３Ａ】
2019133734.tif 000017
【図１３Ｂ】
2019133734.tif 000018